(57)【要約】      （修正有）【課題】自動演奏される楽曲を記録する記憶装置の記憶容量をより小さくすること。【解決手段】鍵盤４の操作とペダル５の操作とに基づいて楽音を発生する演奏部１３と、複数タイミングに対応付けて複数イベントを示す楽曲データを記録する楽曲データベース１１と、入力装置３、４、５、６、７、８の状態に基づいてペダル有効またはペダル無効のいずれかを選択する楽曲選択部１５と、楽曲データに基づいて楽曲を自動演奏する自動演奏部１６とを備えている。複数イベントは、鍵盤４の鍵が打鍵されることを示す鍵盤イベントと、ペダル５が操作されることを示すペダルイベントとを含んでいる。このとき、自動演奏部１６は、ペダル有効が選択されたときに、ペダルイベントを有効にして楽曲データを再生して楽曲を自動演奏し、ペダル無効が選択されたときに、ペダルイベントを無効にして楽曲データを再生して楽曲を自動演奏する。【選択図】図１
2006301017.tif 000002
【特許請求の範囲】
【請求項１】
鍵盤の操作とペダルの操作とに基づいて楽音を発生する演奏部と、
複数タイミングに対応付けて複数イベントを示す楽曲データを記録する楽曲データベースと、
入力装置の状態に基づいてペダル有効またはペダル無効のいずれかを選択する楽曲選択部と、
前記楽曲データに基づいて楽曲を自動演奏する自動演奏部とを具備し、
前記複数イベントは、
前記鍵盤の鍵が打鍵されることを示す鍵盤イベントと、
前記ペダルが操作されることを示すペダルイベントとを含み、
前記自動演奏部は、
前記ペダル有効が選択されたときに、前記ペダルイベントを有効にして前記楽曲データを再生して前記楽曲を自動演奏し、
前記ペダル無効が選択されたときに、前記ペダルイベントを無効にして前記楽曲データを再生して前記楽曲を自動演奏する
電子鍵盤楽器。
【請求項２】
請求項１において、
前記楽曲データベースは、複数楽曲データを記録し、
前記楽曲選択部は、更に、前記入力装置の状態に基づいて前記複数楽曲データのうちから前記楽曲データを選択する
電子鍵盤楽器。
【請求項３】
請求項１または請求項２のいずれかにおいて、
前記楽曲選択部は、前記入力装置のうちの前記鍵盤と前記ペダルとを除くスイッチに基づいて前記ペダル有効または前記ペダル無効のいずれかを選択する
電子鍵盤楽器。
【請求項４】
請求項１または請求項２のいずれかにおいて、
前記鍵盤は、ペダル無効鍵とペダル有効鍵とを含み、
前記楽曲選択部は、前記ペダル無効鍵が打鍵されたときに前記ペダル無効を選択し、前記ペダル有効鍵が打鍵されたときに前記ペダル有効を選択する
電子鍵盤楽器。
【請求項５】
請求項１または請求項２のいずれかにおいて、
前記ペダルが操作されたか否かを検出するペダル状態検出部を更に具備し、
前記楽曲選択部は、前記ペダルが操作されるときに前記ペダル有効を選択し、前記ペダルが操作されないときに前記ペダル無効を選択する
電子鍵盤楽器。
【請求項６】
請求項１または請求項２のいずれかにおいて、
本電子鍵盤楽器本体に前記ペダルが接続されているかどうかを検出するペダル状態検出部を更に具備し、
前記楽曲選択部は、本電子鍵盤楽器本体に前記ペダルが接続されているときに前記ペダル有効を選択し、本電子鍵盤楽器本体に前記ペダルが接続されていないときに前記ペダル無効を選択する
電子鍵盤楽器。
【請求項７】
請求項１または請求項２のいずれかにおいて、
複数ペダルに複数無効ペダルを対応付けるペダルデータベースと、
前記ペダルのうちの踏まれた操作ペダルを検出するペダル状態検出部とを更に具備し、
前記ペダルイベントは、前記ペダルのうちの１つのペダルを更に示し、
前記自動演奏部は、前記ペダルデータベースを参照して、前記複数無効ペダルのうちの前記操作ペダルに対応する無効ペダルを抽出し、前記ペダルイベントのうちの前記無効ペダルを示すイベントを無効にして前記楽曲データを再生して前記楽曲を自動演奏する
電子鍵盤楽器。
【請求項８】
請求項１または請求項２のいずれかにおいて、
前記ペダルのうちの本電子鍵盤楽器本体に接続されない非接続ペダルを検出するペダル状態検出部を更に具備し、
前記ペダルイベントは、前記ペダルのうちの１つのペダルを更に示し、
前記自動演奏部は、前記ペダルイベントのうちの前記非接続ペダルを示すイベントを無効にして前記楽曲データを再生して前記楽曲を自動演奏する
電子鍵盤楽器。
【発明の詳細な説明】
【技術分野】
【０００１】
本発明は、電子鍵盤楽器に関し、特に、鍵盤の操作とペダルの操作とに基づいて楽音を発生し、かつ、楽曲を自動演奏する電子鍵盤楽器に関する。
【背景技術】
【０００２】
鍵盤の操作とペダルの操作とに基づいて楽音を発生し、かつ、楽曲を自動演奏する電子鍵盤楽器が知られている。このような電子鍵盤楽器によれば、ユーザは、自動演奏される楽曲を手本として、その楽曲を演奏するときの鍵盤の操作とペダルの操作とを練習することができる。
【０００３】
電子鍵盤楽器は、記憶装置に自動演奏される楽曲を示すデータを記録し、そのデータを再生してその楽曲を自動演奏する。電子鍵盤楽器は、一般に、搭載される記憶装置の記憶容量が小さいことが製造コストを低減する点で好ましい。電子鍵盤楽器は、一般に、鍵盤とペダル以外のスイッチがより少ないことが好ましく、操作が容易であることが好ましい。
【０００４】
特開平０２−１３４６８９には、１つのペダルで多種多様の制御を行うことができ、さらにペダルによる多段階制御を実現するペダル付電子ピアノが開示されている。そのペダル付電子ピアノは、モード切換えスイッチと、そのモード切換えスイッチを押下することによってペダルにより制御するパラメータを切換える手段とを具備することを特徴としている。
【０００５】
特開平０４−５２６９５号公報には、鍵盤を使用して離散的ではあるが連続的なパラメータを設定するとともに、微妙な調整をも行うことが可能な電子鍵盤楽器のパラメータ設定装置が開示されている。その電子鍵盤楽器のパラメータ設定装置は、鍵盤をパラメータ設定手段として使用する電子鍵盤楽器において、上記鍵盤上で押鍵された鍵を検出する押鍵検出手段と、当該押鍵された鍵に対応して上記鍵盤上における鍵の順序に応じた離散的な第１パラメータを設定する第１パラメータ設定手段と、少なくとも上記第１パラメータ設定手段によって設定される離散的な各パラメータ間の範囲において同範囲内における連続量の第２パラメータを設定する操作子と、離散的な上記第１パラメータを連続量である上記第２パラメータによって補間して連続量のパラメータとするパラメータ補間手段とを具備することを特徴としている。
【０００６】
【特許文献１】特開平０２−１３４６８９号公報
【特許文献２】特開平０４−５２６９５号公報
【発明の開示】
【発明が解決しようとする課題】
【０００７】
本発明の課題は、自動演奏される楽曲を記録する記憶装置の記憶容量をより小さくする電子鍵盤楽器を提供することにある。
本発明の他の課題は、鍵盤とペダルとは別個に設置されるスイッチをより低減する電子鍵盤楽器を提供することにある。
【課題を解決するための手段】
【０００８】
以下に、発明を実施するための最良の形態・実施例で使用される符号を括弧付きで用いて、課題を解決するための手段を記載する。この符号は、特許請求の範囲の記載と発明を実施するための最良の形態・実施例の記載との対応を明らかにするために付加されたものであり、特許請求の範囲に記載されている発明の技術的範囲の解釈に用いてはならない。
【０００９】
本発明による電子鍵盤楽器（１）は、鍵盤（４）の操作とペダル（５）の操作とに基づいて楽音を発生する演奏部（１３）と、複数タイミング（２２）に対応付けて複数イベント（２４、２５、２６）を示す楽曲データ（２１）を記録する楽曲データベース（１１）と、入力装置（３、４、５、６、７、８）の状態に基づいてペダル有効またはペダル無効のいずれかを選択する楽曲選択部（１５）と、楽曲データ（２１）に基づいて楽曲を自動演奏する自動演奏部（１６）とを備えている。複数イベント（２４、２５、２６）は、鍵盤（４）の鍵が打鍵されることを示す鍵盤イベントと、ペダル（５）が操作されることを示すペダルイベントとを含んでいる。このとき、自動演奏部（１６）は、ペダル有効が選択されたときに、ペダルイベントを有効にして楽曲データ（２１）を再生して楽曲を自動演奏し、ペダル無効が選択されたときに、ペダルイベントを無効にして楽曲データ（２１）を再生して楽曲を自動演奏する。このような電子鍵盤楽器（１）は、楽曲データ（２１）を記録するメモリの記憶容量をより小さく設計することができ、好ましい。
【００１０】
楽曲データベース（１１）は、複数楽曲データ（２１）を記録している。このとき、楽曲選択部（１５）は、更に、入力装置（３、４、５、６、７、８）の状態に基づいて複数楽曲データ（２１）のうちから楽曲データ（２１）を選択することが好ましい。
【００１１】
楽曲選択部（１５）は、入力装置（３、４、５、６、７、８）のうちの鍵盤（４）とペダル（５）とを除くスイッチ（３）に基づいてペダル有効またはペダル無効のいずれかを選択することが好ましい。
【００１２】
鍵盤（４）は、ペダル無効鍵とペダル有効鍵とを含んでいる。このとき、楽曲選択部（１５）は、ペダル無効鍵が打鍵されたときにペダル無効を選択し、ペダル有効鍵が打鍵されたときにペダル有効を選択する。このような電子鍵盤楽器（１）は、鍵盤（４）とペダル（５）とは別個に設置されるスイッチを低減することができる。
【００１３】
本発明による電子鍵盤楽器（１）は、ペダル（５）が操作されたかどうかを検出するペダル（５）状態検出部（１４）を更に備えている。このとき、楽曲選択部（１５）は、ペダル（５）が操作されるときにペダル有効を選択し、ペダル（５）が操作されないときにペダル無効を選択することが好ましい。このような電子鍵盤楽器（１）は、鍵盤（４）とペダル（５）とは別個に設置されるスイッチ（３）を低減することができる。
【００１４】
本発明による電子鍵盤楽器（１）は、本電子鍵盤楽器本体（２）にペダル（５）が接続されているかどうかを検出するペダル（５）状態検出部（１４）を更に備えている。楽曲選択部（１５）は、本電子鍵盤楽器本体（２）にペダル（５）が接続されているときにペダル有効を選択し、本電子鍵盤楽器本体（２）にペダル（５）が接続されていないときにペダル無効を選択する。このような電子鍵盤楽器（１）は、ユーザは、入力装置（３、４、５、６、７、８）を操作することなく、ペダル有効またはペダル無効のいずれかを容易に選択することができる。
【００１５】
本発明による電子鍵盤楽器（１）は、複数ペダル（５）に複数無効ペダル（５）を対応付けるペダルデータベース（１２）と、ペダル（５）のうちの踏まれた操作ペダル（５）を検出するペダル（５）状態検出部（１４）とを更に備えている。ペダルイベントは、ペダル（５）のうちの１つのペダル（５）を更に示している。このとき、自動演奏部（１６）は、ペダルデータベース（１２）を参照して、複数無効ペダル（５）のうちの操作ペダル（５）に対応する無効ペダル（５）を抽出し、ペダルイベントのうちの無効ペダル（５）を示すイベントを無効にして楽曲データ（２１）を再生して楽曲を自動演奏することが好ましい。
【００１６】
本発明による電子鍵盤楽器（１）は、ペダル（５）のうちの本電子鍵盤楽器本体（２）に接続されない非接続ペダル（５）を検出するペダル（５）状態検出部（１４）を更に備えている。ペダルイベントは、ペダル（５）のうちの１つのペダル（５）を更に示し、自動演奏部（１６）は、ペダルイベントのうちの非接続ペダル（５）を示すイベントを無効にして楽曲データ（２１）を再生して楽曲を自動演奏する。このような電子鍵盤楽器（１）は、ユーザは、入力装置（３、４、５、６、７、８）を操作することなく、ペダル有効またはペダル無効のいずれかを容易に選択することができる。
【発明の効果】
【００１７】
本発明による電子鍵盤楽器は、自動演奏される楽曲を記録する記憶装置の記憶容量をより小さく設計することができる。または、本発明による電子鍵盤楽器は、鍵盤とペダルとは別個に設置されるスイッチをより低減することができる。
【発明を実施するための最良の形態】
【００１８】
図面を参照して、本発明による電子鍵盤楽器の実施の形態を記載する。その電子鍵盤楽器１は、図１に示されているように、電子鍵盤楽器本体２が入力装置を備えている。その入力装置は、パネル３と鍵盤４とペダルユニット５とを含んでいる。
【００１９】
パネル３は、複数のスイッチから形成され、鍵盤４の横または上に配置されている。その複数のスイッチは、レッスンボタンとスタートストップボタンとを備えている。パネル３は、その複数のスイッチのうちの押下されたスイッチを識別する識別情報を電子鍵盤楽器本体２に出力する。
【００２０】
鍵盤４は、複数の鍵を備えている。その複数の鍵は、複数の白鍵と複数の黒鍵とから形成され、それぞれ、互いに異なる複数の楽音に対応している。その黒鍵のうちのいくつかの鍵は、それぞれ、複数の曲集に対応している。その曲集としては、「バイエル」と「ブルクミュラー」とが例示される。その白鍵のうちの１０鍵は、それぞれ、「１」「２」「３」「４」「５」「６」「７」「８」「９」「０」に対応し、曲番号を選択するために用いられる。鍵盤４は、その複数の鍵のうちの打鍵された鍵を識別するノートナンバーとその鍵が打鍵された強度（ベロシティ）とを電子鍵盤楽器本体２に出力する。
【００２１】
ペダルユニット５は、電子鍵盤楽器本体２に着脱可能であり、電子鍵盤楽器本体２に情報伝達可能に接続されている。ダンパペダル６とソフトペダル７とソステヌートペダル８とを備えている。ダンパペダル６は、アコースティックピアノのダンパペダルのように、倍音を豊かにし、音に広がりをもたせるときに用いられる。ソフトペダル７は、アコースティックピアノのソフトペダルのように、音を弱くするときに用いられる。ソステヌートペダル８は、アコースティックピアノのソステヌートペダルのように、特定の音のみを離鍵しても残るようにするときに用いられる。ペダルユニット５は、各ペダルが踏まれているかどうかを電子鍵盤楽器本体２に出力する。
【００２２】
なお、ペダルユニット５は、ダンパペダル６とソフトペダル７とソステヌートペダル８との全部を備えていない他のペダルユニットに置換することもできる。そのペダルユニットとしては、ダンパペダル６のみを備えるペダルユニット、ダンパペダル６とソフトペダル７とのみを備えるペダルユニットが例示される。
【００２３】
電子鍵盤楽器は、音響装置９をさらに備えている。音響装置９は、電気信号を音に変換するスピーカから形成され、電子鍵盤楽器本体２により生成された情報に基づいて音を出力する。
【００２４】
電子鍵盤楽器本体２は、コンピュータであり、図示されていない表示装置と記録装置とを備えている。その表示装置は、液晶ディスプレイであり、電子鍵盤楽器本体２により生成される画面を表示する。その記録装置は、ＲＡＭまたはＲＯＭであり、電子鍵盤楽器本体２にインストールされるソフトウェアを記録し、電子鍵盤楽器本体２により生成される情報を一時的に記録する。電子鍵盤楽器本体２は、インストールされるコンピュータプログラムを実行して、その表示装置と記録装置とパネル３と鍵盤４とペダルユニット５と音響装置９とを制御する。そのコンピュータプログラムは、楽曲データベース１１とペダルデータベース１２と演奏部１３とペダル状態検出部１４と楽曲選択部１５と自動演奏部１６とを含んでいる。
【００２５】
楽曲データベース１１は、複数の識別情報に対応付けて複数の楽曲データをその記録装置に記録している。その識別情報は、パネル３と鍵盤４との操作を示している。ペダルデータベース１２は、楽曲データベース１１により記録される楽曲データを楽曲に再生するときに、無効にするペダルを記録装置に記録している。
【００２６】
演奏部１３は、鍵盤４とペダルユニット５との操作に基づいて楽音を音響装置９から発生させる。すなわち、演奏部１３は、鍵盤４のうちの打鍵された鍵に対応する楽音を音響装置９から出力する。演奏部１３は、さらに、その鍵のベロシティに対応する効果をその楽音に付加し、たとえば、そのベロシティが大きいほどその楽音の音量を大きくする。演奏部１３は、さらに、ペダルユニット５のうちの踏まれたペダルに対応する効果をその楽音に付加する。すなわち、演奏部１３は、ダンパペダル６が踏まれたときに、アコースティックピアノのダンパペダルが踏まれたような効果をその楽音に付加する。演奏部１３は、ソフトペダル７が踏まれたときに、アコースティックピアノのソフトペダルが踏まれたような効果をその楽音に付加する。演奏部１３は、ソステヌートペダル８が踏まれたときに、アコースティックピアノのソステヌートペダルが踏まれたような効果をその楽音に付加する。
【００２７】
ペダル状態検出部１４は、ペダルユニット５の踏まれているペダルを検出する。
【００２８】
楽曲選択部１５は、パネル３と鍵盤４とペダルユニット５との操作に基づいて、楽曲データベース１１に記録される複数の楽曲データのうちから１つの楽曲データを選択する。すなわち、楽曲選択部１５は、パネル３のレッスンボタンが押されながら、黒鍵が打鍵され、白鍵が打鍵されたときに、その黒鍵に対応する楽曲集のうちから、その白鍵に対応する番号の楽曲を選択する。楽曲選択部１５は、さらに、ペダル状態検出部１４により検出されるペダルに基づいて、その楽曲に付加する効果を算出する。
【００２９】
自動演奏部１６は、楽曲選択部１５により選択された楽曲データを楽曲に再生する。このとき、自動演奏部１６は、さらに、楽曲選択部１５により算出された効果をその楽曲に付加する。自動演奏部１６は、その楽曲を音響装置９から出力する。
【００３０】
図２は、楽曲データベース１１により記録される楽曲データを示している。その楽曲データ２１は、ステップタイム２２にイベントを対応付けている。ステップタイム２２は、時刻を示している。その時刻は、小節数と拍数とクロック数とから表現されている。その小節数は、その楽曲の始まりからの時間を示し、その楽曲を構成する複数の小節を識別する数値を示している。その拍数は、その小節の始まりからの時間を示し、その小節を分割する４分音符を１単位とする数値を示している。そのクロック数は、その小節を分割する４部音符の始まりからの時間を示し、その４分音符の９６分の１を１単位とする数値を示している。
【００３１】
そのイベントは、鍵盤４の鍵を打鍵することを示し、ペダルユニット５のペダルを踏むことを示し、または、ペダルユニット５のペダルを離すことを示している。そのイベントは、ノートナンバ２３とベロシティ２４とゲートタイム２５とコメント２６とから形成されている。ノートナンバ２３は、そのイベントが鍵盤４の鍵を打鍵することを示すときに、ステップタイム２２により示される時刻に打鍵される鍵を識別する番号を示している。ノートナンバ２３は、そのイベントがペダルを踏む（または離す）ことを示すときに、ペダルユニット５のうちのステップタイム２２により示される時刻に踏まれる１つのペダルを識別する番号を示している。
【００３２】
ベロシティ２４は、そのイベントが鍵盤４の鍵を打鍵することを示すときに、ノートナンバ２３により示される鍵が打鍵される強度を示している。ベロシティ２４は、そのイベントがペダルユニット５を踏むことを示すときに、そのペダルが踏まれたことを示し、または、そのペダルが解放されたことを示している。ゲートタイム２５は、そのイベントが鍵盤４の鍵を打鍵することを示すときに、ノートナンバ２３により示される鍵が打鍵されてから離鍵されるまでの時間を示している。コメント２６は、そのイベントに関する情報を示す文字列を示している。このような楽曲データとしては、スタンダードＭＩＤＩファイル（ＳＭＦ）が例示され、周知である。
【００３３】
図３は、ペダルデータベース１２により記録されるペダルテーブルを示している。そのペダルテーブル３１は、ペダル状態３２を無効ペダル３３に対応付けている。ペダル状態３２は、楽曲選択部１５により楽曲が選択されるときに、ペダルユニット５のうちの踏まれるペダルを示している。無効ペダル３３は、ペダル状態３２により示されるペダルが踏まれるときに、無効にされるペダルの組を示している。
【００３４】
たとえば、無効ペダル３３は、ペダル状態３２がペダルユニット５のどのペダルも踏まれていないことを示すときに、ダンパペダルとソフトペダルとソステヌートペダルとを示している。無効ペダル３３は、ペダル状態３２がダンパペダル６を示すときに、ソフトペダルとソステヌートペダルとを示している。無効ペダル３３は、ペダル状態３２がソフトペダル７を示すときに、ソステヌートペダルを示している。無効ペダル３３は、ペダル状態３２がソステヌートペダル８を示すときに、無効にするペダルがないことを示している。なお、ペダル状態３２は、複数のペダルが踏まれていることを示すこともできる。
【００３５】
すなわち、自動演奏部１６は、ペダルテーブル３１を参照して、ペダル状態検出部１４により検出されたペダルに対応する無効ペダルを抽出する。自動演奏部１６は、楽曲選択部１５により選択された楽曲の楽曲データをその無効ペダルを無効にして自動演奏する。
【００３６】
電子鍵盤楽器１の動作は、楽曲を選択する動作と、選択された楽曲を再生する動作とを備えている。その楽曲を選択する動作は、ユーザが電子鍵盤楽器１を操作することにより実行される。ユーザは、まず、電子鍵盤楽器１に自動演奏させたい楽曲を選択し、その演奏で操作しないでほしい無効ペダルを選択する。ユーザは、パネル３のレッスンボタンを押しながら、その楽曲の曲集に対応する黒鍵を打鍵し、その楽曲の番号に対応する白鍵を所定の順序で打鍵し、ペダルユニット５のうちのその無効ペダルに対応するペダルを踏み、パネル３のレッスンボタンを離す。
【００３７】
図４は、選択された楽曲を再生する動作を示している。電子鍵盤楽器１は、パネル３のスタートストップボタンが押下されると、ペダルデータベース１２を参照して、その楽曲を選択する動作が実行されているときに踏まれたペダルに対応する無効ペダルを抽出する（ステップＳ１）。電子鍵盤楽器１は、楽音データベース１１を参照して、選択されたその楽曲の楽曲データを抽出し、ステップＳ１で抽出された無効ペダルを無効にして、その楽曲データを再生する（ステップＳ２）。電子鍵盤楽器は、無効ペダルがないときに、ペダルを示すイベントをすべて有効にして再生する。
【００３８】
アコースティックピアノの練習方法としては、鍵盤およびペダルの両方を操作して楽曲を演奏する練習と、ペダルを操作しないで鍵盤だけを操作して楽曲を演奏する練習とが知られている。さらに、子供に例示されるペダルに足が届かないユーザは、ペダルを操作しないで鍵盤だけを操作して楽曲を演奏して練習する。このような電子鍵盤楽器１によれば、ユーザは、ペダルを無効にして自動演奏される楽曲を手本として、ペダルを操作しないで鍵盤だけを操作する練習をすることができる。さらに、このような電子鍵盤楽器１によれば、パネル５はスイッチを増加させることなく、ユーザの操作により楽曲を選択することができ、自動演奏で無効にするペダルを選択することができる。このような電子鍵盤楽器１は、さらに、楽曲データ２１を記録するメモリの記憶容量をより小さく設計することができ、電子鍵盤楽器１の製造コストを低減する点で好ましい。
【００３９】
本発明による電子鍵盤楽器の実施の他の形態は、既述の実施の形態におけるペダル状態検出部１４と自動演奏部１６とが実行する動作が他の動作にそれぞれ置換されている。すなわち、ペダル状態検出部１４は、電子鍵盤楽器本体２にペダルユニット５が情報伝達可能に接続されているかどうかを検出する。ペダル状態検出部１４は、さらに、電子鍵盤楽器本体２に接続されるペダルユニット５が備えるペダルの種類を検出する。自動演奏部１６は、楽曲選択部１５により選択された楽曲データを楽曲に再生する。このとき、自動演奏部１６は、さらに、ペダル状態検出部１４により検出されないペダルを示すイベントを無効にしてその楽曲データを楽曲に再生する。自動演奏部１６は、その楽曲を音響装置９から出力する。
【００４０】
このような電子鍵盤楽器の動作は、楽曲を選択する動作と、選択された楽曲を再生する動作とを備えている。その楽曲を選択する動作は、ユーザが電子鍵盤楽器を操作することにより実行される。ユーザは、まず、電子鍵盤楽器に自動演奏させたい楽曲を選択する。ユーザは、パネル３のレッスンボタンを押しながら、鍵盤４の鍵をその楽曲に対応する所定の順序で打鍵し、パネル３のレッスンボタンを離す。
【００４１】
図５は、その選択された楽曲を再生する動作を示している。その電子鍵盤楽器は、パネル３のスタートストップボタンが押下されると、まず、楽曲データベース１１から選択された楽曲を示す楽曲データを抽出する。その電子鍵盤楽器は、電子鍵盤楽器本体２にペダルユニット５が情報伝達可能に接続されているかどうかを検出する。その電子鍵盤楽器は、さらに、電子鍵盤楽器本体２に接続されるペダルユニット５が備えるペダルの種類を検出する（ステップＳ１１）。その電子鍵盤楽器は、全てのペダル（ダンパペダル６とソフトペダル７とソステヌートペダル８と）が検出されたときに（ステップＳ１１、ＹＥＳ）、ペダルを示すイベントをすべて有効にしてその楽音データを楽曲に再生し、その楽曲を音響装置９から出力する。（ステップＳ１２）。
【００４２】
その電子鍵盤楽器は、検出されないペダルがあるときに（ステップＳ１１、ＮＯ）、その検出されないペダルを示すイベントを無効にしてその楽音データを楽曲に再生し、その楽曲を音響装置９から出力する。（ステップＳ１３）。なお、その電子鍵盤楽器は、ペダルが検出されないときに、その検出されないペダルだけでなく全てのペダルを示すイベントを無効にしてその楽音データを楽曲に再生し、その楽曲を音響装置９から出力することもできる。
【００４３】
このような電子鍵盤楽器によれば、ユーザは、ペダルを無効にして自動演奏される楽曲を手本として、ペダルを操作しないで鍵盤だけを操作する練習をすることができる。さらに、このような電子鍵盤楽器によれば、ユーザは、自動演奏で無効にするペダルを選択する操作をする必要がなく、この電子鍵盤楽器にペダルが無効である楽曲を容易に自動演奏させることができる。
【００４４】
本発明による電子鍵盤楽器の実施のさらに他の形態は、既述の実施の形態における楽曲選択部１５が実行する動作が他の動作に置換されている。このとき、鍵盤４の黒鍵のうちのいくつかの鍵は、それぞれ、複数の曲集とペダルの有効／無効との組に対応している。たとえば、そのいくつかの鍵は、「ブルクミュラー、ペダル有効」と「ブルクミュラー、ペダル無効」とに対応している。楽曲選択部１５は、パネル３のレッスンボタンが押されながら、黒鍵が打鍵され、白鍵が打鍵されたときに、その黒鍵に対応する楽曲名のうちから、その白鍵に対応する番号の楽曲を選択する。楽曲選択部１５は、さらに、打鍵された黒鍵に基づいて、ペダルの有効／無効を選択する。
【００４５】
このような電子鍵盤楽器の動作は、楽曲を選択する動作と、選択された楽曲を再生する動作とを備えている。その楽曲を選択する動作は、ユーザが電子鍵盤楽器を操作することにより実行される。ユーザは、まず、電子鍵盤楽器に自動演奏させたい楽曲を選択し、その自動演奏でペダルを有効にするか無効にするかを選択する。ユーザは、パネル３のレッスンボタンを押しながら、鍵盤４の鍵をその楽曲に対応する所定の順序で打鍵し、パネル３のレッスンボタンを離す。
【００４６】
図６は、その選択された楽曲を再生する動作を示している。その電子鍵盤楽器は、パネル３のスタートストップボタンが押下されると、まず、楽曲データベース１１から選択された楽曲を示す楽曲データを抽出する。その電子鍵盤楽器は、選択された楽曲がペダル有効であるかペダル無効であるかを判別する（ステップＳ２１）。その電子鍵盤楽器は、ペダル有効が選択されたときに（ステップＳ２１、ＮＯ）、ペダルを示すイベントをすべて有効にしてその楽音データを楽曲に再生し、その楽曲を音響装置９から出力する。（ステップＳ２２）。その電子鍵盤楽器は、ペダル無効が選択されたときに（ステップＳ２１、ＹＥＳ）、全てのペダルを示すイベントを無効にしてその楽音データを楽曲に再生し、その楽曲を音響装置９から出力する。
【００４７】
このような電子鍵盤楽器によれば、ユーザは、ペダルを無効にして自動演奏される楽曲を手本として、ペダルを操作しないで鍵盤だけを操作する練習をすることができる。さらに、このような電子鍵盤楽器によれば、ユーザは、自動演奏でペダルを有効にするか無効するかをペダルの操作なしで選択することができ、好ましい。
【００４８】
本発明による電子鍵盤楽器の実施のさらに他の形態は、既述の実施の形態における自動演奏部１６の動作が他の動作に置換されている。このとき、楽曲データベース１１は、ペダルを踏むことを示すイベントを含む楽曲データとペダルを踏むことを示すイベントを含まない楽曲データとを別個に記録装置に記録する。自動演奏部１６は、楽曲選択部１５によりペダルを有効にすることが選択されたときに、楽曲データベース１１からペダルを踏むことを示すイベントを含む楽曲データを抽出し、楽曲選択部１５によりペダルを無効にすることが選択されたときに、楽曲データベース１１からペダルを踏むことを示すイベントを含まない楽曲データを抽出する。自動演奏部１６は、その抽出された楽曲データを楽曲に再生し、その楽曲を音響装置９から出力する。
【００４９】
このような電子鍵盤楽器によれば、既述の実施の形態における電子鍵盤楽器のように楽曲データ２１を記録するメモリの記憶容量をより小さく設計することができないが、ユーザは、ペダルを無効にして自動演奏される楽曲を手本として、ペダルを操作しないで鍵盤だけを操作する練習をすることができる。
【図面の簡単な説明】
【００５０】
【図１】図１は、本発明による電子鍵盤楽器の実施の形態を示すブロック図である。
【図２】図２は、楽曲データを示す表である。
【図３】図３は、ペダルデータベースにより記録されるペダルテーブルを示す表である。
【図４】図４は、選択された楽曲を再生する動作を示すフローチャートである。
【図５】図５は、選択された楽曲を再生する他の動作を示すフローチャートである。
【図６】図６は、選択された楽曲を再生するさらに他の動作を示すフローチャートである。
【符号の説明】
【００５１】
１  ：電子鍵盤楽器
２  ：電子鍵盤楽器本体
３  ：パネル
４  ：鍵盤
５  ：ペダルユニット
６  ：ダンパペダル
７  ：ソフトペダル
８  ：ソステヌートペダル
９  ：音響装置
１１：楽曲データベース
１２：ペダルデータベース
１３：演奏部
１４：ペダル状態検出部
１５：楽曲選択部
１６：自動演奏部
２１：楽曲データ
２２：ステップタイム
２３：ノートナンバ
２４：ベロシティ
２５：ゲートタイム
２６：コメント
３１：ペダル状態
３２：ペダル
【図１】
2006301017.tif 000003
【図２】
2006301017.tif 000004
【図３】
2006301017.tif 000005
【図４】
2006301017.tif 000006
【図５】
2006301017.tif 000007
【図６】
2006301017.tif 000008